(57)【要約】【課題】一時的な出力の変動を誤検知することなく、過電圧状態を確実に検出して電源出力を停止することができる電源回路を得る。【解決手段】電源回路を、電源出力手段１と、電圧測定手段２と、制御手段３を備える構成とする。電源出力手段１は、所定の電圧値で装置に電力を供給する。電圧測定手段２は、電源出力手段１が出力する電圧を測定する。制御手段３は、電圧測定手段２が測定した電圧が、段階的に設定された複数の基準値を順に超えたとき、装置への電力の供給を停止するように電源出力手段１を制御する。【選択図】      図１
2018064324.tif 000002
【特許請求の範囲】
【請求項１】
所定の電圧値で装置に電力を供給する電源出力手段と、
前記電源出力手段が出力する電圧を測定する電圧測定手段と、
前記電圧測定手段が測定した前記電圧が、段階的に設定された複数の基準値を順に超えたとき、前記装置への電力の供給を停止するように前記電源出力手段を制御する制御手段と、
を備えることを特徴とする電源回路。
【請求項２】
前記電源出力手段が出力する前記電圧の前記所定の電圧値からの変動範囲が、前記装置が正常に動作する電圧範囲よりも広いとき、前記基準値のうち最も小さい値は前記装置の定格電圧より大きく、前記基準値のうち最も大きい値は、前記装置が正常に動作する電圧の最大値よりも小さくなるように設定されていることを特徴とする請求項１に記載の電源回路。
【請求項３】
前記電源出力手段が出力する電流を測定する電流測定手段をさらに備え、
前記制御手段は、測定した前記電流が所定の時間内にあらかじめ設定された基準以上変動した際に、前記装置への電力の供給を停止しないように前記電源出力手段を制御することを特徴とする請求項１または２に記載の電源回路。
【請求項４】
前記基準値は、３段階以上で設定されていることを特徴とする請求項１から３いずれかに記載の電源回路。
【請求項５】
第１のスイッチ素子と、チョークコイルと、電力の供給先の装置と接続される第１の端子が順に接続された第１の経路と、
前記装置と接続される第２の端子を有する第２の経路と、
前記チョークコイルと前記第１の端子の間に一端が接続され、前記第１の経路と前記第２の経路の間に備えられたコンデンサと、
前記第１のスイッチ素子と前記チョークコイルの間に一端が接続され、前記第１の経路と前記第２の経路の間に備えられた第２のスイッチ素子と、
前記第１の端子からの出力電流を測定する電流測定回路と、
前記第１の端子と前記第２の端子に接続され出力電圧を測定する電圧測定回路と、
前記出力電流と前記出力電圧の測定結果を基に、出力が所定の設定値となるように前記第１のスイッチ素子および前記第２のスイッチ素子を制御する制御回路と、
を備え、
前記制御回路は、前記電圧測定回路が測定した前記出力電圧が、段階的に設定された複数の基準値を順に超えたとき、電力の供給を停止するように前記第１のスイッチ素子および前記第２のスイッチ素子を制御することを特徴とする電源回路。
【請求項６】
前記出力電圧の所定の電圧値からの変動範囲が、前記第１の端子と前記第２の端子間に接続される装置が正常に動作する電圧範囲よりも広いとき、前記基準値のうち最も小さい値は前記装置の定格電圧より大きく、前記基準値のうち最も大きい値は、前記装置が正常に動作する電圧の最大値よりも小さくなるように設定されていることを特徴とする請求項５に記載の電源回路。
【請求項７】
前記制御回路は、前記電流測定回路が測定した前記出力電流が所定の時間内にあらかじめ設定された基準以上変動した際に、電力の供給を停止しないことを特徴とする請求項５または６に記載の電源回路。
【請求項８】
所定の電圧値で装置に電力を供給し、
出力する電圧を測定し、
測定した前記電圧が、段階的に設定された複数の基準値を順に超えたとき、前記装置への電力の供給を停止することを特徴とする電源制御方法。
【請求項９】
出力する前記電圧の前記所定の電圧値からの変動範囲が、前記装置が正常に動作する電圧範囲よりも広いとき、前記基準値のうち最も小さい値は前記装置の定格電圧より大きく、前記基準値のうち最も大きい値は、前記装置が正常に動作する電圧の最大値よりも小さくなるように設定されていることを特徴とする請求項８に記載の電源制御方法。
【請求項１０】
出力する電流を測定し、
前記電流が所定の時間内にあらかじめ設定された基準以上変動した際に、前記装置への電力の供給を停止しないように制御することを特徴とする請求項８または９に記載の電源制御方法。
【発明の詳細な説明】
【技術分野】
【０００１】
本発明は、電源に関するものであり、特に、電源出力の過電圧状態を検出する技術に関するものである。
【背景技術】
【０００２】
電子デバイス等に電力を供給する電源ユニットは、電子デバイス等に適正な電圧で安定して電力を供給する必要がある。そのため、電源ユニットは、過電圧によって電子デバイス等の負荷デバイスに障害が生じることを防止するため、過電圧検出回路を備えていることが多い。また、電力を供給する対象となる負荷デバイスには、例えば、定格電圧に対して±５パーセント以内が動作保障の電圧範囲として設定されているものがある。一方で、電源ユニットには、例えば、定格出力電圧に対して＋２０パーセント以上の出力電圧となったときに過電圧を検出するものもある。
【０００３】
負荷デバイスの動作保障の電圧範囲と、電源ユニットの出力電圧の範囲が異なる場合に、負荷デバイスの動作保障の電圧範囲を超えているときに、電源ユニットが正常な出力範囲と判断して出力を継続する状態が起こりうる。負荷デバイスの動作範囲を超える電圧の電力が供給されると、負荷デバイスの動作不良が生じることで、電源ユニットが異常を検知して電源の出力の停止が生じる。そのような場合には、電源ユニットにのみ異常が発生していて負荷デバイスが正常に動作可能な場合であっても、負荷デバイスが故障部位であると判断される恐れがある。
【０００４】
そのような状態を避けるために、例えば、過電圧と判断する電圧範囲を負荷デバイスの動作範囲に応じて狭くする方法が用いられることがある。しかし、過電圧と判断する電圧範囲を狭くすると一時的な出力の変動を異常として誤検知し、電力の供給が停止する恐れがある。そのため、一時的な出力の変動を誤検知することなく、電源ユニットに過電圧故障が生じた際に、過電圧状態を適切に検出して電源出力の停止を行うことができる技術があることが望ましく、関連する技術の開発が行われている。そのような、一時的な出力の変動を誤検知することなく、電源ユニットに過電圧故障が生じた際に、過電圧状態を適切に検出して電源出力の停止を行うための技術としては、例えば、特許文献１のような技術が開示されている。
【０００５】
特許文献１は、過電圧を検出して電圧の制御を行う過電流保護回路に関するものである。特許文献１の過電流保護回路は、スイッチング・トランジスタのオン時間によって出力電圧の制御を行っている。特許文献１の過電流保護回路は、出力電圧値が第１の設定値Ｖｒ１を超えたときに、スイッチング・トランジスタのオン時間を短くして出力電圧を低下させている。また、特許文献１の過電流保護回路は、出力電圧値が第１の設定値Ｖｒ１を超えていないが、第２の設定値Ｖｒ２を所定の時間、超えているときスイッチング・トランジスタのオン時間を短くして出力電圧を低下させている。特許文献１は、そのように出力電圧の制御を行うことで、短時間の出力の増大を許容しつつ、過電流状態を検出して過電流の保護を行うことができるとしている。
【先行技術文献】
【特許文献】
【０００６】
【特許文献１】特開２００１−１１９９３３号公報
【発明の概要】
【発明が解決しようとする課題】
【０００７】
しかしながら、特許文献１の技術は次のような点で十分ではない。特許文献１では、低電圧側の基準を所定の時間、超えたときに、過電圧の異常が生じていると判断してスイッチング・トランジスタのオン時間を短くしている。そのため、特許文献１では、過電圧状態を判断するために時間を要し、その間に負荷デバイスに異常が生じて停止する恐れがある。よって、特許文献１の技術は、一時的な出力の変動を誤検知することなく、電源ユニットに過電圧故障が生じた際に、過電圧状態を確実に検出して電源出力を停止する技術としては十分ではない。
【０００８】
本発明は、上記の課題を解決するため、一時的な出力の変動を誤検知することなく、過電圧状態を確実に検出して電源出力を停止することができる電源回路を得ることを目的としている。
【課題を解決するための手段】
【０００９】
上記の課題を解決するため、本発明の電源回路は、電源出力手段と、電圧測定手段と、制御手段を備えている。電源出力手段は、所定の電圧値で装置に電力を供給する。電圧測定手段は、電源出力手段が出力する電圧を測定する。制御手段は、電圧測定手段が測定した電圧が、段階的に設定された複数の基準値を順に超えたとき、装置への電力の供給を停止するように電源出力手段を制御する。
【００１０】
本発明の電源制御方法は、所定の電圧値で装置に電力を供給し、出力する電圧を測定し、測定した電圧が、段階的に設定された複数の基準値を順に超えたとき、装置への電力の供給を停止する
【発明の効果】
【００１１】
本発明によると、一時的な出力の変動を誤検知することなく、過電圧状態を確実に検出して電源出力を停止することができる。
【図面の簡単な説明】
【００１２】
【図１】本発明の第１の実施形態の構成の概要を示す図である。
【図２】本発明の第２の実施形態の構成の概要を示す図である。
【図３】本発明の第２の実施形態の回路制御部の構成を示す図である。
【図４】電源からの出力変化の例を示す図である。
【図５】本発明と対比した構成における過電圧状態の検出の例を示す図である。
【図６】本発明の第２の実施形態における過電圧状態の検出の例を示す図である。
【発明を実施するための形態】
【００１３】
（第１の実施形態）
本発明の第１の実施形態について図を参照して詳細に説明する。図１は、本実施形態の電源回路の構成の概要を示したものである、本実施形態の電源回路は、電源出力手段１と、電圧測定手段２と、制御手段３を備えている。電源出力手段１は、所定の電圧値で装置に電力を供給する。電圧測定手段２は、電源出力手段１が出力する電圧を測定する。制御手段３は、電圧測定手段２が測定した電圧が、段階的に設定された複数の基準値を順に超えたとき、装置への電力の供給を停止するように電源出力手段１を制御する。
【００１４】
本実施形態の電源回路は、電圧測定手段２において測定した電圧が、段階的に設定された複数の基準値を順に超えたとき、制御手段３が装置への電力の供給を停止するように制御している。そのため、段階的に設定された複数の基準値を順に超えたときに過電圧状態と判断しているので、過電圧と判断する基準を下げた場合でも負荷変動による出力の揺らぎを誤検出することなく、確実に過電圧状態を検出することができる。その結果、本実施形態の電源回路は、一時的な出力の変動を誤検知することなく、過電圧状態を確実に検出して電源出力を停止することができる。
【００１５】
（第２の実施形態）
本発明の第２の実施形態について図を参照して詳細に説明する。図２は、本実施形態の電源システムの構成の概要を示したものである。本実施形態の電源システムは、電源１０と、負荷デバイス２０を備えている。本実施形態の電源システムは、電源１０から負荷デバイス２０に直流電源を供給するシステムである。電源１０は、外部の電源にさらに接続され、負荷デバイス２０の定格電圧の電力を負荷デバイス２０に供給する。
【００１６】
電源１０の構成について説明する。電源１０は、回路制御部１１と、出力電圧検出部１２と、出力電流検出部１３と、コンデンサ１４と、出力チョークコイル１５と、第１のスイッチ１６と、第２のスイッチ１７と、第１の端子１８と、第２の端子１９を備えている。
【００１７】
回路制御部１１の構成について説明する。図３は、回路制御部１１の構成を示したものである。回路制御部１１は、制御部３１と、監視部３２と、記憶部３３と、出力電圧値入力部３４と、出力電流値入力部３５をさらに備えている。
【００１８】
制御部３１は、第１のスイッチ１６および第２のスイッチ１７のＦＥＴ（Field Effect Transistor）のオン状態とオフ状態を制御する機能を有する。制御部３１は、出力電圧Ｖｏが所定の設定値となるように第１のスイッチ１６および第２のスイッチ１７を制御する。所定の設定値は、負荷デバイス２０の定格電圧となるように設定されている。
【００１９】
制御部３１は、第１のスイッチ１６および第２のスイッチ１７に駆動信号を送り、ＦＥＴのゲートに電圧を印加することで、第１のスイッチ１６および第２のスイッチ１７をオン状態にする。オン状態とは、ＦＥＴのソースとドレインの間で電流が流れる状態のことをいう。また、制御部３１は、監視部３２から出力を停止する信号を受け取ると、第１のスイッチ１６および第２のスイッチ１７がオフ状態となるように制御する。オフ状態とは、ＦＥＴのソースとドレインの間で電流が流れない状態のことをいう。
【００２０】
制御部３１は、第１のスイッチ１６および第２のスイッチ１７を数μ秒から数ｍ秒の時間ごとに交互にオン状態とオフ状態を繰り返すように制御する。すなわち、制御部３１は、第１のスイッチ１６がオン状態とのときは、第２のスイッチ１７がオフ状態となるように制御し、第１のスイッチ１６がオフ状態とのときは、第２のスイッチ１７がオン状態となるように制御する。制御部３１は、第１のスイッチ１６と第２のスイッチ１７のオン状態の時間の比率を変えることによって出力電圧Ｖｏが所定の電圧値、すなわち、負荷デバイス２０の定格電圧に基づいた値になるように、第１のスイッチ１６および第２のスイッチ１７を制御する。
【００２１】
監視部３２は、出力電圧Ｖｏと、出力電流Ｉｏの測定値と、それぞれに設定されている基準値を比較し、電力の供給停止の要否を判断する機能を有する。出力電圧Ｖｏの測定値は、出力電圧値入力部３４を介して、出力電圧検出部１２から入力される。また、出力電流Ｉｏの測定値は、出力電流値入力部３５を介して、出力電流検出部１３から入力される。
【００２２】
監視部３２は、出力電圧検出部１２から入力される出力電圧Ｖｏの測定値を、過電圧状態を検出するための閾値として設定されている複数段階の基準値と比較し、順に基準値以上になったときに過電圧状態が生じていると判断する。
【００２３】
本実施形態では、複数段階の基準値は、３段階の基準値として設定されている。３段階の基準値が、Ｖｔｈ１、Ｖｔｈ２およびＶｔｈ３として設定されているとすると、Ｖｔｈ１＜Ｖｔｈ２＜Ｖｔｈ３を満たすように各基準値が設定されている。基準値のうち最も小さいＶｔｈ１は、電源１０および負荷デバイス２０の定格電圧以上になるように設定されている。また、基準値のうち最も大きいＶｔｈ３は、負荷デバイス２０が正常に動作する電圧範囲内に設定されている。このように基準値が設定されているとき、監視部３２は、出力電圧ＶｏがＶｔｈ１、Ｖｔｈ２およびＶｔｈ３を順に超えたときに、出力している電圧が過電圧状態であると判断する。
【００２４】
例えば、負荷デバイス２０の定格電圧がＶｒ、動作範囲がＶｒ±５パーセントであったとすると、各基準値は、Ｖｔｈ１＝１．０１×Ｖｒ、Ｖｔｈ２＝１．０２×Ｖｒ、Ｖｔｈ３＝１．０３×Ｖｒのようにそれぞれ設定される。このとき、電源１０の動作範囲は、Ｖｒ±５パーセントよりも広いものとする。複数段階の基準値は、２段階で設定されていてもよく、４段階以上で設定されていてもよい。
【００２５】
また、監視部３２は、出力電流Ｉｏの変動幅を監視し、所定の時間内に基準以上の変動があった場合に、過電圧を検知しないようにする。所定の時間は、電源が応答できないような負荷電流の変動が生じる時間として設定されている。例えば、監視部３２は、電源が応答できない１０μ秒以内に出力電流Ｉｏが１００パーセント、すなわち、出力電流Ｉｏの定常値から０パーセントまで減少したときに、過電圧を検知しないように設定される。
【００２６】
図４は、電源１０が制御できない短時間の出力変動の例を示している。図４では、出力電圧Ｖｏが一時的に上昇した際に、出力電流Ｉｏが１０μ秒以下の短時間で定常値である１００パーセントから０パーセントまで低下した場合を示している。このような、電源１０が各スイッチの制御によって対応できないような短時間の変化が生じた場合には、監視部３２は、過電圧を検知しない。
【００２７】
本実施形態の制御部３１および監視部３２の機能は、第１の実施形態の制御手段３に相当する。
【００２８】
記憶部３３は、電力の供給停止の要否を判断する際の出力電圧Ｖｏの複数段階の基準値と、出力電流Ｉｏの変動幅の基準を保存する機能を有する。また、出力電圧Ｖｏと、出力電流Ｉｏの測定値を保存する機能を有する。記憶部３３は、例えば、半導体記憶装置によって構成されている。
【００２９】
出力電圧値入力部３４は、出力電圧検出部１２から入力される出力電圧Ｖｏの測定値のデータの入力インターフェースである。出力電圧値入力部３４は、入力された出力電圧Ｖｏの測定値のデータを制御部３１および監視部３２にそれぞれ送る。
【００３０】
出力電流値入力部３５は、出力電流検出部１３から入力される出力電流Ｉｏの測定値のデータの入力インターフェースである。出力電流値入力部３５は、入力された出力電流Ｉｏの測定値のデータを制御部３１および監視部３２にそれぞれ送る。
【００３１】
出力電圧検出部１２は、出力電圧を測定する機能を有する。出力電圧検出部１２は、第１の端子１８と第２の端子１９の間の電位差を測定し、測定結果を出力電圧として回路制御部１１に送る。また、本実施形態の出力電圧検出部１２の機能は、第１の実施形態の電圧測定手段２に相当する。
【００３２】
出力電流検出部１３は、出力電流を測定する機能を有する。出力電流検出部１３は、通過する電流を測定し、測定結果を出力電流として回路制御部１１に送る。
【００３３】
コンデンサ１４は、第１の端子１８側と第２の端子１９側を接続する位置に、所定の容量値となるように形成されている。
【００３４】
出力チョークコイル１５は、交流成分を遮断するチョークコイルとして備えられている。
【００３５】
第１のスイッチ１６および第２のスイッチ１７は、通電のオンとオフを切り替えるスイッチ素子である。第１のスイッチ１６および第２のスイッチ１７は、ＦＥＴを用いて形成され、回路制御部１１から送られてくる制御信号に基づいて動作する。
【００３６】
第１の端子１８は、負荷デバイス２０に電力を供給する際の、正極側の接続端子である。また、第２の端子１９は、負荷デバイス２０に電力を供給する際の、負極側の接続端子である。
【００３７】
本実施形態のコンデンサ１４、出力チョークコイル１５、第１のスイッチ１６、第２のスイッチ１７、第１の端子１８および第２の端子１９で構成される回路は、第１の実施形態の電源出力手段１に相当する。
【００３８】
負荷デバイス２０は、電源１０から供給される電力によって動作する装置である。負荷デバイス２０は、電源１０の出力電圧の範囲内の電圧で動作する装置である。負荷デバイス２０には、例えば、記憶装置や表示装置などの電子デバイスが用いられる。負荷デバイス２０は、電源１０から電力の供給を受けて動作するものであれば電子デバイス以外の装置であってもよい。
【００３９】
本実施形態の電源システムの動作について説明する。始めに通常に動作している際の、電源１０の動作について説明する。
【００４０】
通常の動作時、出力電圧検出部１２は、出力電圧Ｖｏを測定し、測定結果を回路制御部１１に送る。回路制御部１１に入力された出力電圧Ｖｏのデータは、出力電圧値入力部３４を介して制御部３１に送られる。また、出力電流検出部１３は、出力電流Ｉｏを測定し、測定結果を回路制御部１１に送る。回路制御部１１に入力された出力電流Ｉｏのデータは、出力電流値入力部３５を介して制御部３１に送られる。回路制御部１１は、出力電圧Ｖｏおよび出力電流Ｉｏの測定結果を受け取ると、出力が設定値、すなわち、定格電圧に基づいた値になるように第１のスイッチ１６および第２のスイッチ１７に制御信号を送り、スイッチ素子のオン状態とオフ状態を制御する。
【００４１】
次に出力電圧Ｖｏが増大した場合に、電源１０が過電圧状態を検出して、負荷デバイス２０への電力の供給を停止する際の動作について説明する。
【００４２】
電源１０が稼動している際に、出力電圧検出部１２によって測定された出力電圧Ｖｏのデータは、出力電圧値入力部３４を介して監視部３２にも入力される。また、出力電流検出部１３によって測定された出力電流Ｉｏのデータは、出力電流値入力部３５を介して監視部３２にも入力される。監視部３２は、出力電圧Ｖｏおよび出力電流Ｉｏのデータを受け取ると、出力電圧Ｖｏおよび出力電流Ｉｏのデータを記憶部３３に保存する。
【００４３】
回路制御部１１の監視部３２は、出力電圧値入力部３４を介して入力される出力電圧Ｖｏの値を、過電圧状態を判断する際の基準値であるＶｔｈ３と比較する。入力された出力電圧Ｖｏの値がＶｔｈ３よりも大きいとき、監視部３２は、記憶部３３を参照して、出力電圧Ｖｏの値がＶｔｈ１とＶｔｈ２よりも順に大きくなっているかを確認する。出力電圧Ｖｏの値が基準値Ｖｔｈ１、Ｖｔｈ２およびＶｔｈ３を順に超えていないとき、監視部３２は、通常の動作状態での電圧の変動と判断して出力電圧Ｖｏの監視を継続する。
【００４４】
出力電圧Ｖｏの値がＶｔｈ１、Ｖｔｈ２およびＶｔｈ３を順に超えているとき、監視部３２は、出力電流値入力部３５を介して入力される出力電流Ｉｏの所定の時間内の変動値を基準値であるＩｔｈと比較する。出力電流Ｉｏの所定の時間内の変動幅が基準値Ｉｔｈ以上のとき、監視部３２は、通常の動作に基づく瞬間的な出力変動と判断して出力電圧Ｖｏと出力電流Ｉｏの監視を継続する。監視部３２が通常の動作に基づく瞬間的な出力変動と判断した場合には、電源１０から負荷デバイス２０への電力の供給は継続される。
【００４５】
出力電流Ｉｏの所定の時間内の変動幅がＩｔｈ未満のとき、監視部３２は、負荷デバイス２０への電源出力において過電圧状態が生じていると判断する。過電圧状態が生じていると判断すると、監視部３２は、電力の供給を停止する信号を制御部３１に送る。
【００４６】
制御部３１は、電力の供給を停止する信号を受け取ると、第１のスイッチ１６および第２のスイッチ１７への駆動信号の出力を停止する。第１のスイッチ１６および第２のスイッチ１７への駆動信号の出力が停止されると、第１のスイッチ１６および第２のスイッチ１７のＦＥＴはともにオフ状態となるため、回路に電流が流れなくなり、負荷デバイス２０への電力の供給が停止する。
【００４７】
図５は、段階的に設定された基準に基づいて過電圧状態の検出を行わなかった場合の例を示したものである。図５は、電源の出力電圧の範囲が定格電圧に対して±２０パーセント、負荷デバイスの動作範囲が定格電圧に対して±５パーセントの場合を示している。図５では、出力電圧が電源の出力電圧の範囲である２０パーセント以上上昇した際に、電源が異常を検知する場合の例を示している。図５では、電源の故障で電圧が上昇した際に、負荷デイバスの動作範囲を超えても電源が出力を停止しないため、定格電圧よりも５パーセント以上電圧が上昇した際に、負荷デバイスの動作不良が生じる例を示している。
【００４８】
図６は、本実施形態の電源１０おいて、過電圧状態を検出する際の複数段階の基準が、定格電圧に対して、１パーセント、２パーセントおよび３パーセント上昇したときとして設定されている場合を示している。図６では、過電圧検出１、過電圧検出２および過電圧検出３と示している箇所で、出力電圧が過電圧状態を検出する際の複数段階の基準を順に超えている。そのため、図６では過電圧検出３を検出したときに、電源の出力が停止されている。本実施形態の電源システムでは、このように過電圧状態を検出することで、負荷デバイス２０の動作不良が生じる前に、電源出力を停止することができる。
【００４９】
本実施形態の電源システムは、電源１０の出力電圧検出部１２で出力電圧Ｖｏを測定し、出力電圧Ｖｏが段階的に設定された基準値を順に超えたときに過電圧状態が生じていると判断している。そのため、過電圧状態と判断する基準値を低く設定しても、通常動作時の出力電圧Ｖｏの変動を誤検知する可能性が低くなる。また、基準値を低く設定することで、電源から出力される電圧の変動範囲よりも、負荷デバイスの動作範囲が狭いときにも、負荷デバイスの動作不良が生じる前に電源出力を停止することができる。また、本実施形態の電源システムでは、段階的に設定された基準値を順に超えたときに過電圧状態が生じていると判断するため、基準値の最大値を超えている際に過電圧の判断に要する時間を短くすることができる。
【００５０】
また、本実施形態の電源システムでは、出力電流検出部１３で出力電流Ｉｏを測定し、電源が応答できないような短時間で出力電流が変動した際に、電圧が基準値を超えた場合には、過電圧状態としての検知は行われない。そのため、負荷変動によって短時間で急激な出力の変動が起きた場合の誤検出を避けることができるので、より正確に過電圧状態を検出することができる。その結果、本実施形態の電源システムは、一時的な出力の変動を誤検知することなく、過電圧状態を確実に検出して電源供給を停止することができる。
【００５１】
第２の実施形態の電源システムは、電源１０に１つの負荷デバイス２０が接続されているが、負荷デバイス２０は複数、接続されていてもよい。また、電源１０の回路構成は、出力電圧および出力電流を測定する測定手段と、出力電圧および出力電流の測定結果を基に出力を制御する制御手段を備えていれば、第２の実施形態に示した回路構成と異なっていてもよい。
【００５２】
第２の実施形態の電源システムでは、過電圧状態を判断する際の出力電圧および出力電流の基準値は、電源１０の回路制御部１１にあらかじめ設定されているが、接続される負荷デバイス２０に応じて外部入力可能な構成であってもよい。また、基準値が外部入力可能な構成とする場合に、接続される負荷デバイス２０を識別して、あらかじめ設定されている複数パターンの基準値の中から負荷デバイス２０に対応する基準値が選択されて、基準値が設定される構成としてもよい。負荷デバイス２０に対応する基準値が選択される構成とする場合には、例えば、電源１０が負荷デバイス２０の識別子を検知する手段を有する構成とすることができる。負荷デバイス２０に応じて基準値を可変とすることで、複雑な設定変更を必要とせずに、様々な負荷デバイス２０に対応することが可能になる。
【符号の説明】
【００５３】
１    電源出力手段
２    電圧測定手段
３    制御手段
１０    電源
１１    回路制御部
１２    出力電圧検出部
１３    出力電流検出部
１４    コンデンサ
１５    出力チョークコイル
１６    第１のスイッチ
１７    第２のスイッチ
１８    第１の端子
１９    第２の端子
２０    負荷デバイス
３１    制御部
３２    監視部
３３    記憶部
３４    出力電圧値入力部
３５    出力電流値入力部
【図１】
2018064324.tif 000003
【図２】
2018064324.tif 000004
【図３】
2018064324.tif 000005
【図４】
2018064324.tif 000006
【図５】
2018064324.tif 000007
【図６】
2018064324.tif 000008